(57)【特許請求の範囲】
【請求項１】
商品収納庫を内蔵するキャビネットの底部側に機械室を画成し、該機械室内に庫内保冷用冷凍機のコンデンシングユニットを搭載装備した自動販売機であり、前記冷凍機のコンデンシングユニットが空冷式凝縮器，送風ファン，圧縮機からなり、外扉に形成された吸気口から取り込んだ冷却空気をコンデンシングユニットに送風するとともにキャビネットの背面に形成された排気口から排気するようにしたものであって、前記吸気口または排気口の少なくとも一方に近接して該吸気口または排気口に向けて直進する音を遮音するとともに冷却空気の通過を許容する消音部材を設けた自動販売機において、消音部材は吸音材が貼着されるとともに該吸音材の面が吸気口または排気口に向けて直進する音に対して傾斜するように配置されたフラッパからなり、複数のフラッパを上下方向に並置してなることを特徴とする自動販売機。
【請求項２】
請求項１記載の自動販売機において、上下に並置した複数のフラッパを一体化したフラッパユニットとし、該フラッパユニットを機械室に着脱自在に取付けたことを特徴とする自動販売機。
【請求項３】
商品収納庫を内蔵するキャビネットの底部側に機械室を画成し、該機械室内に庫内保冷用冷凍機のコンデンシングユニットを搭載装備した自動販売機であり、前記冷凍機のコンデンシングユニットが空冷式凝縮器，送風ファン，圧縮機からなり、外扉に形成された吸気口から取り込んだ冷却空気をコンデンシングユニットに送風するとともにキャビネットの背面に形成された排気口から排気するようにしたものであって、前記排気口が形成されたキャビネットの背面に消音部材を配設した自動販売機において、消音部材は折畳み可能な屏風状体に吸音材を貼着した消音ユニットであることを特徴とする自動販売機。
【発明の詳細な説明】
【０００１】
【発明の属する技術分野】
本発明は、前面扉付きの断熱筐体としてなるキャビネットの底部側に機械室を画成し、該機械室内にキャビネット庫内を保冷する冷凍機のコンデンシングユニットを装備して缶，瓶，ペットボトル商品などをコールド商品として販売する自動販売機、詳しくはキャビネットに搭載したコンデンシングユニットに対する遮音構造に関する。
【０００２】
【従来の技術】
この種の自動販売機の従来における一般的な構造を図７，図８に示す。各図において、１は自動販売機のキャビネット、１ａは断熱筐体で構成した商品収納庫、１ｂはそのキャビネット１の底部側に風洞として画成した機械室、２はキャビネット１の前面開口に開閉自在に配置された片開き式の外扉、２ａは外扉２に設けられた商品取出口、３は商品収納庫１ａの前面開口を閉塞する断熱内扉、４はキャビネット１の商品収納庫１ａに収設した商品収納ラック（サーペンタイン式商品収納ラック）、５は商品収納ラック４から搬出した商品を商品取出口２ａに導く商品搬出シュータ、６は商品収納庫１ａの庫内底部に設置した冷却ユニット（冷凍機のエバポレータと庫内ファンとの組立体）であり、前記機械室１ｂには冷凍機のコンデンシングユット７を搭載し、仕切壁１ｃの左側に画成した小室には電源ユニットなどを収設している。なお、前記商品収納庫１ａは、薄鋼板製になる内箱と外箱との間に、例えば発泡性樹脂を発泡成形した断熱材を充填した断熱筐体になる。
【０００３】
かかる自動販売機の商品販売動作は周知の通りであり、商品８は商品収納ラック４の各コラムに収納され、冷却ユニット６で冷却した冷気を庫内に循環送風して商品８を販売適温に保冷している。そして商品販売時には、販売指令に基づくベンド機構４ａの動作で商品収納ラック４から払出した商品８が商品搬出シュータ５を経て商品取出口２ａに送出される。
【０００４】
一方、前記した冷凍機のコンデンシングユニット７は、圧縮機７ａ，空冷式の凝縮器７ｂ，送風ファン７ｃを図示のように前後に並べてキャビネット１の基台となるベース上に搭載されており、冷凍機の運転時には外扉２の下部に丸穴ないしスリット状穴を左右に並べて開口した吸気口２ｂを通じて機外前方より取り入れた冷却空気（外気）を図示矢印のように風洞としてなる機械室１ｂの室内に送風して凝縮器７ｂ，圧縮機７ａを冷却し、その排気を機械室１ｂの背面に開口した排気口１１を通じて排出するようにしている。
【０００５】
ところで、前記した従来構成では、冷凍機のコンデンシングユニット７に対する騒音漏洩の面で次記のような問題点がある。すなわち、コンデンシングユニット７に通じる機械室１ｂの前端面を開放（通常、防護用の金網が設けられており、この金網を介して開放）し、外扉２には吸気口２ｂを開口した構成では、冷凍機の運転に伴って圧縮機７ａ，送風ファン７ｃに発生する振動音，風切り音などが騒音となり、機械室１ｂの前面に放出された騒音が吸気口２ｂを通じてそのまま外方に漏洩し、また、機械室１ｂの背面に放出された騒音が排気口１１を通じて自動販売機の背面の壁面に反射して自動販売機の周囲から前方に漏洩する。このために自動販売機の前方に伝播する騒音レベルが高くなる。これに対して、昨今では自動販売機をオフィスビルなどの建屋内に据付ける場合も多いことから、自動販売機から周囲に伝播する騒音が一定レベル以下となるような静粛性が求められている。
【０００６】
そこで、自動販売機の騒音レベルを低める対策として、従来より、圧縮機，ファン自身の防振性を高めるほか、コンデンシングユニット７を搭載した自動販売機のキャビネット１についても、次のような騒音低減対策が提案されている。すなわち、本発明と同一出願人より先に提案した特開平８−３１５２３６号には、機械室１ｂの前面を塞いでコンデンシングユニットから発生する騒音が自動販売機の前方に漏出するのを抑制するようにした上で、機械室の背面側に吸気口，排気口を左右に分けて開口し、機械室内にはコンデンシングユニットを経由して吸気口と排気口の間にＵ字形の導風路を形成したもの、さらには前記の吸気口，排気口に連ねてキャビネットの背面に導風ダクトを設け、該導風ダクトを通じてキャビネットの上方側から冷却空気の取入れたり，排気を行うようにした構成が開示されている。
【０００７】
【発明が解決しようとする課題】
ところで、前記提案のように冷凍機のコンデンシングユニットを収容した機械
室の前面を閉塞した上で、その冷却空気をキャビネットの背面側から取り入れるようにした方式では、自動販売機の前方に伝播する騒音レベルの低減化には効果を発揮する反面、次記のような問題点がある。
【０００８】
すなわち、オフィスビルのロビーなどに自動販売機を設置する場合に、最近ではインテリア性を考慮して自動販売機を通路に置かずに、建屋の壁側に形成したポケット状の空所内に嵌め込んで設置する例が多く、このような場所に設置された既設の自動販売機と入替えを行うと、自動販売機のキャビネット背面に設けた
導風ダクトにより自動販売機の奥行寸法が大きくなることから、該導風ダクトが邪魔になってキャビネットの前面が壁面から突出してしまい、インテリア性を損なうという問題がある。また、屋外に設置される自動販売機のように、自動販売機の奥行寸法が問題とならない場合であっても、騒音レベルを低減するために従来の自動販売機に対して大幅が改造を行わねばならないことから、既設の自動販売機の騒音レベルを低減しようとすると、自動販売機自体を入替えねばならないという問題がある。
【０００９】
本発明は上記の点に鑑みなされたものであり、その第１の目的は自動販売機に搭載した冷凍機のコンデンシングユニットの騒音が自動販売機の外部に漏洩するのを抑えて静粛性を高めることが可能な自動販売機を提供することにあり、第２の目的は従来の自動販売機を大幅に改造することなく自動販売機の背面から漏洩する騒音を低減することが可能な自動販売機を提供することにある。
【００１０】
【課題を解決するための手段】
上記第１の目的を達成するために、本発明によれば、商品収納庫を内蔵するキャビネットの底部側に機械室を画成し、該機械室内に庫内保冷用冷凍機のコンデンシングユニットを搭載装備した自動販売機であり、前記冷凍機のコンデンシングユニットが空冷式凝縮器，送風ファン，圧縮機からなり、外扉に形成された吸気口から取り込んだ冷却空気をコンデンシングユニットに送風するとともにキャビネットの背面に形成された排気口から排気するようにしたものであって、前記吸気口または排気口の少なくとも一方に近接して該吸気口または排気口に向けて直進する音を遮音するとともに冷却空気の通過を許容する消音部材を設けるよ
うにしたものにおいて、消音部材は吸音材が貼着されるとともに該吸音材の面が吸気口または排気口に向けて直進する音に対して傾斜するように配置されたフラッパからなり、複数のフラッパを上下方向に並置する構成する（請求項１）。
【００１１】
上記の構成によれば、キャビネットの吸気口または排気口に近接して消音部材を設けることにより、機械室内のコンデンシングユニットから発生し、吸気口または排気口に向けて直進する騒音が消音部材によって遮音されるため、吸気口または排気口から自動販売機の前方に漏洩する騒音が低減される。また、自動販売
機の外形寸法を変更することがないことから、例えば、建屋の壁側に形成したポケット状の空所内に嵌め込んで設置された既存の自動販売機との入替えが可能であり、自動販売機の設置場所に制約されることがない。これによって、コンデンシングユニットから発生し、吸気口や排気口に向けて直進する騒音が吸音材に衝突して減衰されて消音する。
【００１２】
また、本発明によれば、前述した上下に並置した複数のフラッパを一体化したフラッパユニットとし、該フラッパユニットを機械室に着脱自在に取付ける（請求項２）。これにより、フラッパユニットを既設の自動販売機にも装着することが可能となり、自動販売機自体を入替えなくても騒音の漏洩を低減することが可能
となる。
【００１３】
そして、前述した第２の目的を達成するため、本発明によれば、商品収納庫を内蔵するキャビネットの底部側に機械室を画成し、該機械室内に庫内保冷用冷凍機のコンデンシングユニットを搭載装備した自動販売機であり、前記冷凍機のコンデンシングユニットが空冷式凝縮器，送風ファン，圧縮機からなり、外扉に形成された吸気口から取り込んだ冷却空気をコンデンシングユニットに送風するとともにキャビネットの背面に形成された排気口から排気するようにしたものにおいて、前記排気口が形成されたキャビネットの背面に消音部材を配設し、消音部材を折畳み可能な屏風状体に吸音材を貼着した消音ユニットとする（請求項３）。
【００１４】
この構成によれば、キャビネットの排気口から放出されるコンデンシングユニットの騒音は自動販売機の背面と壁面とに衝突を繰り返しながらキャビネットの周囲から前方に漏洩しようとするが、キャビネットの背面に消音部材が配置されていることによって前記騒音が消音部材に衝突した際に消音されるので、自動販売機の周囲から前方に漏洩する騒音が低減し、屏風状体に貼着された吸音材が排気ダクトとなり、キャビネットの排気口から放出される排気を自動販売機の上面に導き、その際コンデンシングユニットの騒音が吸音材によって消音される。
【００１５】
【発明の実施の形態】
以下、本発明の実施の形態を図示の実施例に基づいて説明する。なお、各実施例の図中で図７，図８に対応する部材には同一の符号を付してその詳細な説明は省略する。
〔実施例１〕図１は請求項１に対応する発明の実施例を示すものである。図１において、１００はキャビネット１の底部側で商品収納庫１ａとベース（四隅に支持脚を備えて自動販売機の自重を支える基台）１５との間に画成した機械室１ｂ内に配設された消音部材としてのフラッパユニットである。このフラッパユニット１００は機械室１ｂ内に搭載装備された冷凍機のコンデンシングユニット７を挟むように機械室１ｂの前後面に配置されており、前面側のフラッパユニット１００は外扉２に形成された吸気口２ｂに近接して配置され、また、後面側（以下、背面側と称する）のフラッパユニット１００はキャビネット１の背面に形成された排気口１１の位置に配置されている。この実施例では、機械室１ｂの背面
側に配置されたフラッパユニット１００が排気口１１を兼用している。
【００１６】
前記フラッパユニット１００は、図２(a)，(b)に示すように、短冊状の薄板からなるフラッパ１０１を四角枠状のガイド体１０３に上下方向４段に間隔をおいて並設してなるものである。前記フラッパ１０１の両端は取付片として折り曲げられ、該取付片をガイド体１０３にスポット溶接することにより取付けられている。また、フラッパ１０１の表面には吸音材１０２が接着剤により貼着されている。前記フラッパ１０１の傾斜角度は、図２(b)に示すように、ガイド体１０３の開口面に垂直な方向から見たとき、フラッパ１０３により背後の景色が見えない状態、すなわち、隣接する上段に位置するフラッパ１０１の下縁と下段に位置するフラッパ１０１の上縁とがオーバーラップするような傾斜角度に定められている。そして、前記ガイド体１０３の左右両端には取付片１０５が形成されており、この取付片１０５をキャビネット１に固着することによりフラッパユニット１００が機械室１ｂに取付けられる。この場合、フラッパ１０１に貼着された吸音材１０２の表面が機械室側を向くように設置される。そして、少なくとも機械室１ｂの背面側に配置されるフラッパユニット１００は、機械室から排気される空気がフラッパ１０１により自動販売機の上面方向に上昇するようにフラッパ１０１の傾斜方向が定められている。なお、通常、機械室１ｂの前後には防護用の金網がねじにより取付けられているが、この金網に代えてフラッパユニット１００を取付ける際には、金網を取付けるねじを利用して取付けるのがよい。
【００１７】
かかる構成において、冷凍機の運転時にはコンデンシングユニット７のファン７ｃの回転により、図１に示す矢印のように、外扉２の吸気口１２を通じて取り込んだ冷却空気が機械室１ｂの前面側に配置したフラッパユニット１００（以下、これを前部フラッパユニットと称する）を介して機械室１ｂに流入し、凝縮器７ｂ，圧縮機７ａを冷却，通風した後、機械室背面側のフラッパユニット１００（以下、これを後部フラッパユニットと称する）から外部に排出される。この時、機械室１ｂ内の圧縮機７ａ，ファン７ｃから発生する騒音は吸気口２ｂ，排気口１１（後部フラッパユニット１００）から漏洩しようとする。しかしながら、吸気口２ｂ，排気口１１（後部フラッパユニット１００）に向けて直進する騒音は前部フラッパユニット１００，後部フラッパユニット１００に傾斜して取付けられたフラッパ１０１の吸音材１０２に衝突し、吸音材１０２の減衰効果によって消音される。これにより、吸気口２ｂ，排気口１１（後部フラッパユニット１００）を介して外部に漏洩する騒音が低減され、冷凍機の運転時にも静粛性を保つことができる。なお、前部フラッパユニット１００を配置したことにより、吸気口１２から取り込まれた空気は下降方向に向きを変えられるが、凝縮器７ｂ，圧縮機７ａの冷却には支障がなく、また、後部フラッパユニット１００により凝縮器７ｂ，圧縮機７ａを冷却した空気は上昇方向に向きを変えられて上昇するので、後部フラッパユニット１００から排出された空気が自動販売機の底面を通して吸気口２ｂに回り込むことがない。
【００１８】
〔実施例２〕図３は本発明の請求項２に対応する実施例を示すものである。この実施例においては、図１，２に示したフラッパユニット１００に対して外形寸法を小さくするとともにガイド体１０３の上面に板ばね１０４を固着した点が相違する。すなわち、図１，２に示したフラッパユニット１００は機械室の前後に設けた防護用の金網に変えて取付けるように構成されているのに対して、この実施例では風洞を形成する機械室内に挿入して配置できるように小型に形成されるとともに弾性変形して機械室の天井面に圧接する板ばね１０４を設けてこの板ばね１０４が機械室１ｂの天井面に圧接することによりフラッパユニット１００を固定するようにしたものである。この構成によれば、既設の自動販売機にも防護用の金網を取外すのみでフラッパユニット１００を装着することができるので、現地対応、すなわち、既設の自動販売機の設置場所においてフラッパユニット１００の装着を行うことが可能である。
【００１９】
〔実施例３〕図４は請求項３に対応する発明の実施例を示すものである。この実施例においては、キャビネット１の背面に形成された排気口１１から放出されるコンデンシングユニット７の騒音がキャビネット１の背面と壁面１１１との間で反射して自動販売機の周面から前方に漏洩するのを低減するため、キャビネット
１の背面に消音部材としての吸音材１０５を直接貼着している。なお、９０，９１は機械室１ｂの前後面に配置した防護用の金網である。
【００２０】
この構成によれば、排気口１１から放出されて壁面１１１とキャビネット１の背面との間で反射する騒音は、キャビネット１の背面に貼着された吸音材１０５に衝突することにより減衰される。これにより、排気口１１から放出されたコンデンシングユニット７の騒音が自動販売機の前方に漏洩するのを低減することができる。また、キャビネット１の背面に吸音材１０５を直接貼着するために自動販売機を改造する必要がなく、さらに、既設の自動販売機にも取付けることが可能である。なお、この実施例では、吸音材の特性を最大限に活かすためにキャビネット背面の排気口１１から上部の全領域に吸音材１０５を貼着している場合について示しているが、コストや要求される静粛性の度合いにより吸音材１０５を排気口１１に近い領域のみに貼着することもでき、また、高い静粛性が要求される場合には壁面１１１にも鎖線で示すように吸音材１０６を貼着すればよい。
【００２１】
〔実施例４〕図５は前記実施例３の応用実施例を示すものであり、この実施例において、２００は消音部材としての消音ユニットであり、この消音ユニット２００は、薄い鉄板からなり、上端が直角に折り曲げられた保持部材２０１と、この保持部材２０１の一方の面に貼着された吸音材２０２および保持部材２０１の他方の面に取付けられた磁石２０３からなる。前記保持部材２０１の下端部は上端の折り曲げ部をキャビネット１（図４参照）の天面に引っ掛けた際その下端部が排気口１１（図４参照）の上端に位置する長さとなるように定められている。この消音ユニット２００は、キャビネット１の天面に保持部材２０１の折り曲げ部を引っ掛け、磁石２０３をキャビネット１の背面に吸着させることによって自動販売機に着脱自在に装着される。この消音ユニット２００による騒音の低減効果を図４に示した実施例と同様であるので説明を省略するが、キャビネット１への着脱が容易であることから既設の自動販売機への装着を簡単に行うことができる。なお、吸音材２０２を横断面がＵ字状となるように形成し、Ｕ字状脚部が背面を向くように取付けることにより、排気口１１から放出されたコンデンシングユニットの騒音が自動販売機の側面から漏洩するのを防止できるものである。
【００２２】
〔実施例５〕図６は本発明の請求項３に対応した実施例を示すものである。前記実施例３，４では吸音材を自動販売機に装着するようにしたものであるのに対し、この実施例では自動販売機と別置してコンデンシングユニットの騒音の漏洩を低減する消音ユニットを示すものである。この実施例では消音ユニット３００を屏風状に形成したものである。図６において、消音ユニット３００は薄板からなる保持部材３０１に吸音材３０２が貼着されるとともに隣接する保持部材間を回転ヒンジ３０３で連結したものからなり、回転ヒンジ３０３によって消音ユニット３００は左右に伸縮自在である。このように構成された消音ユニット３００は吸音材３０２を手前にして自動販売機が設置される壁面に沿って配置するとともに回転ヒンジ３０３を頂点とする山のなす角度が鋭角となるように縮めて設置し、この消音ユニット３００の前方に自動販売機を据付ける。このとき、自動販売機のキャビネット１の背面と壁面に挟まれた消音ユニット４００は回転ヒンジ４０３を中心に、回転ヒンジ４０３を山の頂点とする角度が鈍角になるように開いて左右に伸びる。かかる構成によれば、排気口１１（図４参照）から放出されたコンデンシングユニットからの騒音は、消音ユニット３００の吸音材３０２とキャビネット１の背面との間で反射するが、消音ユニット３００の吸音材３０２に衝突することにより減衰され、自動販売機の前方に騒音が漏洩するのを低減できる。そして、この実施例では消音ユニット３００が、排気口から排出される空気の導風路としての導風ダクトとなるので自動販売機の側面から前方に漏洩する騒音を確実に消音することが可能である。
【００２３】
【発明の効果】
以上に述べたように請求項１に記載した本発明によれば、商品収納庫を内蔵するキャビネットの底部側に機械室を画成し、該機械室内に庫内保冷用冷凍機のコンデンシングユニットを搭載装備した自動販売機であり、前記冷凍機のコンデンシングユニットが空冷式凝縮器，送風ファン，圧縮機からなり、外扉に形成され
た吸気口から取り込んだ冷却空気をコンデンシングユニットに送風するとともにキャビネットの背面に形成された排気口から排気するようにしたものにおいて、前記吸気口または排気口の少なくとも一方に近接して該吸気口に向けて直進する音を消音するとともに冷却空気の通過を許容する消音部材を設けたことにより、機械室内のコンデンシングユニットから発生し、吸気口または排気口に向けて直進する騒音が消音部材によって消音されるため、吸気口または排気口から自動販売機の前方に漏洩する騒音が低減されるので静粛性を高めることができる。また、自動販売機の外形寸法を変更することがないことから設置場所に制約されること、すなわち、建屋の壁面に形成したポケット状の空所内に嵌め込んで設置された既設の自動販売機との入替えを行っても自動販売機の前面が壁面から突出して通路にはみ出すことがなく、インテリア性を損なうことがないとともに通路はみ出しを防止できる。
【００２４】
また、請求項３に記載した本発明によれば、商品収納庫を内蔵するキャビネットの底部側に機械室を画成し、該機械室内に庫内保冷用冷凍機のコンデンシングユニットを搭載装備した自動販売機であり、前記冷凍機のコンデンシングユニットが空冷式凝縮器，送風ファン，圧縮機からなり、外扉に形成された吸気口から
取り込んだ冷却空気をコンデンシングユニットに送風するとともにキャビネットの背面に形成された排気口から排気するようにしたものにおいて、前記排気口が形成されたキャビネットの背面に消音部材を配設したことにより、キャビネットの排気口から放出され、自動販売機の背面と壁面とに衝突しながらキャビネットの周囲から前方に漏洩する騒音は、キャビネットの背面に配置された消音部材に衝突することより消音される。したがって、自動販売機を大幅に改造することなく、キャビネットの排気口から放出されて自動販売機の周囲から前方に漏洩する騒音を低減することができる。
【図面の簡単な説明】
【図１】本発明の実施例１に対応する自動販売機の内部構成を示す側面図
【図２】図１の消音部材を示す構成図であり、(a)はその斜視図、(b)は側面断面図
【図３】本発明の実施例２に対応する消音部材の斜視図
【図４】本発明の実施例３に対応する自動販売機の内部構成を示す側面図
【図５】本発明の実施例４に対応する消音ユニットの構成図であり、(a) はその斜視図、(b) はその側面図
【図６】本発明の実施例５に対応する消音ユニットの構成図を示す斜視図
【図７】従来における自動販売機の全体構成を示す扉開放状態の外観図
【図８】図７の内部構造を表す縦断側面図
【符号の説明】
１ キャビネット
１ａ 商品収納庫
１ｂ 機械室
２ 外扉
３ 断熱内扉
７ 冷凍機のコンデンシングユニット
７ａ 圧縮機
７ｂ 凝縮器
７ｃ 送風ファン
１００ 消音部材
１０１ フラッパ
１０２ 吸音材
１０３ ガイド板
１０４ 板ばね
１０５ 吸音材
２００ 消音ユニット
２０１ 保持部材
２０２ 吸音財
３００ 消音ユニット
３０１ 保持部材
３０２ 吸音材
３０３ 弾性部材
４００ 消音ユニット
４０１ 保持部材
４０２ 吸音材
４０３ 回転ヒンジ
５００ 消音ユニット
５０１ 保持部材
５０２ 吸音材
【図１】
0003812471.tif 000002
【図２】
0003812471.tif 000003
【図３】
0003812471.tif 000004
【図４】
0003812471.tif 000005
【図５】
0003812471.tif 000006
【図６】
0003812471.tif 000007
【図７】
0003812471.tif 000008
【図８】
0003812471.tif 000009